(57)【特許請求の範囲】
【請求項１】
電子体温計を収納するための電子体温計用収納ケースであって、
前記電子体温計を収納する内部空間が形成された容器本体と、
前記内部空間の一端には、前記電子体温計を先端キャップの側から挿入するための開口が形成され、
前記内部空間の前記開口と反対側の端部において、前記電子体温計の前記先端キャップに嵌合して前記電子体温計を前記内部空間に保持するように配置され、円弧状の断面を有する複数の保持部材と、
前記複数の保持部材を囲むように設けられ、前記開口に向かって前記保持部材よりも長く延び、断面が円弧状の板状の部材で形成された複数のガイド部材と、を備えることを特徴とする電子体温計用収納ケース。
【請求項２】
前記複数の保持部材と前記複数のガイド部材との間の隙間は、前記電子体温計の前記先端キャップの半径よりも小さいことを特徴とする請求項１に記載の電子体温計用収納ケース。
【請求項３】
前記容器本体は、上面パネル、前記上面パネルに対向する下面パネル、前記上面パネルと下面パネルを接続する側面パネルを有し、
前記上面パネルと前記下面パネルは、前記開口の反対側の端部へ向かって細くなるテーパー形状を有し、
前記複数の保持部材と前記複数のガイド部材は、前記テーパー形状に沿って設けられた前記側面パネルが形成する内壁から前記電子体温計の挿入方向と平行に延びるように設けられていることを特徴とする請求項１または２に記載の電子体温計用収納ケース。
【請求項４】
前記保持部材と前記ガイド部材の先端部がそれぞれ面取りされていることを特徴とする請求項１乃至３のいずれか１項に記載の電子体温計用収納ケース。
【請求項５】
電子体温計を収納するための電子体温計用収納ケースであって、
上面パネル、該上面パネルに対向する下面パネル、該上面パネルと該下面パネルを接続する側面パネルによって前記電子体温計を収納する内部空間が形成された容器本体と、
前記内部空間の一端に形成された、前記電子体温計を先端キャップの側から挿入するための開口と、
前記内部空間の前記開口と反対側の端部において、前記電子体温計の前記先端キャップに嵌合して前記電子体温計を前記内部空間に保持するように配置された、円弧状の断面を有する複数の保持部材と、
前記複数の保持部材を囲むように設けられ、前記開口に向かって前記保持部材よりも長く延び、断面が円弧状の板状の部材で形成された複数のガイド部材と、を備え、
前記上面パネルと前記下面パネルとは、前記開口の反対側の端部に向かって細くなるテーパー形状を有し、前記複数の保持部材は、前記テーパー形状に沿って設けられた前記側面パネルの内壁から前記電子体温計の挿入方向に沿って延びるように設けられていることを特徴とする電子体温計用収納ケース。
【請求項６】
前記開口の側において開閉が可能に設けられたキャップ部材をさらに備え、
前記キャップ部材が透明の部材で形成されていることを特徴とする請求項１乃至５のいずれか１項に記載の電子体温計用収納ケース。
【発明の詳細な説明】
【技術分野】
【０００１】
本発明は電子体温計の収納ケースに関する。更に、詳しくは電子体温計の挿入口が開口したタイプの電子体温計用収納ケースに関する。
【背景技術】
【０００２】
従来の挿入口が開口したタイプの電子体温計用の収納ケースにおいて電子体温計を係止・固定するための機構として、種々の構成が提案されている。一般に電子体温計の収納ケースでは、その内部空間へ電子体温計をスムーズに出し入れできるようにするため、内部空間の大きさに余裕を持たせ、内壁にリム等を設けて電子体温計を固定している。
【０００３】
特許文献１では、収納された電子体温計の先端キャップを包むように保持する円筒状の保持部材を、収納ケース先端部側の内部空間における底平面に設けることが記載されている。このような収納ケースによれば、保持部材が電子体温計の先端キャップを保持することでケース内において電子体温計を固定するとともに、電子体温計が収納ケースから不用意に飛び出すことを防止している。
【０００４】
さらに、特許文献１によれば、円筒形の保持部材にスリットを設けてたわみやすくしたり、保持部材の端部を面取りしたりしている。このように構成することで、電子体温計の収納ケースへの挿入時に、その先端キャップが保持部材と接触した際の先端キャップに加わる衝撃を弱め、電子体温計の先端部の破損を防止している。
【先行技術文献】
【特許文献】
【０００５】
【特許文献１】特許第２５７２１２７号公報（第３図（イ）、（ロ）、第４図）
【発明の概要】
【発明が解決しようとする課題】
【０００６】
しかしながら、上述した保持部材は、電子体温計の先端キャップを係止・固定することを目的としたものであるので、過度に撓みやすくすることはできない。したがって、保持部材の端部を面取りをしてはいるものの保持部材の端部に電子体温計の先端が突き当たることで電子体温計の先端部に衝撃が加わってしまう。また、電子体温計の出し入れを容易にするために内部空間の大きさに余裕を持たせているため、電子体温計の内部空間への挿入の仕方（角度）によっては、先端キャップの先端中央部と保持部材の端面とがぶつかり、より大きな衝撃が先端キャップに加わる可能性がある。
【０００７】
本発明は、上記課題に鑑みてなされたもので、挿入口が開口しており、電子体温計の先端部を保持して固定するタイプの電子体温計の収納ケースにおいて、収納時に電子体温計の先端部に加わる衝撃を緩和することを目的とする。
【課題を解決するための手段】
【０００８】
上記の目的を達成するための本発明の一態様による電子体温計用収納ケースは以下の構成を備える。すなわち、
電子体温計を収納するための電子体温計用収納ケースであって、
前記電子体温計を収納する内部空間が形成された容器本体と、
前記内部空間の一端には、前記電子体温計を先端キャップの側から挿入するための開口が形成され、
前記内部空間の前記開口と反対側の端部において、前記電子体温計の前記先端キャップに嵌合して前記電子体温計を前記内部空間に保持するように配置され、円弧状の断面を有する複数の保持部材と、
前記複数の保持部材を囲むように設けられ、前記開口に向かって前記保持部材よりも長く延び、断面が円弧状の板状の部材で形成された複数のガイド部材と、を備える。
【０００９】
また、上記の目的を達成するための本発明の他の態様による電子体温計用収納ケースは以下の構成を備える。すなわち、
電子体温計を収納するための電子体温計用収納ケースであって、
上面パネル、該上面パネルに対向する下面パネル、該上面パネルと該下面パネルを接続する側面パネルによって前記電子体温計を収納する内部空間が形成された容器本体と、
前記内部空間の一端に形成された、前記電子体温計を先端キャップの側から挿入するための開口と、
前記内部空間の前記開口と反対側の端部において、前記電子体温計の前記先端キャップに嵌合して前記電子体温計を前記内部空間に保持するように配置された、円弧状の断面を有する複数の保持部材と、
前記複数の保持部材を囲むように設けられ、前記開口に向かって前記保持部材よりも長く延び、断面が円弧状の板状の部材で形成された複数のガイド部材と、を備え、
前記上面パネルと前記下面パネルとは、前記開口の反対側の端部に向かって細くなるテーパー形状を有し、前記複数の保持部材は、前記テーパー形状に沿って設けられた前記側面パネルの内壁から前記電子体温計の挿入方向に沿って延びるように設けられている。
【発明の効果】
【００１０】
本発明によれば、挿入口が開口しており、電子体温計の先端部を保持して固定するタイプの電子体温計の収納ケースにおいて、収納時に電子体温計の先端キャップに加わる衝撃が緩和される。
【図面の簡単な説明】
【００１１】
【図１】実施形態による電子体温計用収納ケースの外観を示す図である。
【図２】実施形態による電子体温計用収納ケースの容器本体の上面図、側面図、下面図である。
【図３】実施形態による電子体温計用収納ケースの、電子体温計挿入方向に沿った断面を示す図である。
【図４】実施形態による電子体温計用収納ケースの、電子体温計挿入方向と直交する方向に沿った断面を示す図である。
【図５】実施形態による電子体温計用収納ケースの、先端部における保持部材とガイド部材の詳細を説明する図である。
【発明を実施するための形態】
【００１２】
図１は本実施形態による電子体温計用収納ケース（以下、収納ケースという）の外観を示す図である。
【００１３】
図１の（ａ）に示すように、収納ケース１０は容器本体１１とキャップ部材１２を有する。収納ケース１０はプラスチックにて作られている。キャップ部材１２は回動部１５を介して容器本体１１に取り付けられており、回動部１５により回動して収納ケース１０の開閉を可能にしている。キャップ部材１２を、例えば透明な部材で形成すれば、収納ケース１０に電子体温計が収納されているか否かを直ちに視認することができる。容器本体１１の上面パネル１１１には窓１３が設けられている。使用者は、収納ケース１０の内部空間に収納された電子体温計２０の表示部２２を外部から見ることが出来る。使用者は、窓１３により収納ケース１０に電子体温計２０が収納されているか否かを知ることができる。ただし、上述したようにキャップ部材１２を透明にした場合、窓１３を省略することもできる。
【００１４】
図１の（ｂ）に示すように、キャップ部材１２を回動させると、容器本体１１の内部空間へ電子体温計２０の抜き差しを行うための開口１４が露出する。収納ケース１０への電子体温計２０の収納時には、電子体温計２０は先端キャップ２１の側から容器本体１１の内部空間へ挿入される。容器本体１１は、上面パネル１１１、これに対向する下面パネル１１２、上面パネル１１１と下面パネル１１２を接続する側面パネル１１３とを有し、これらのパネルによって電子体温計２０を収納し得る内部空間と、開口１４とが形成されている。なお、便宜上、容器本体１１が、上面パネル１１１、下面パネル１１２、側面パネル１１３により構成されるとしているが、これらは実際の部品の単位を示すものではない。例えば、容器本体１１は、射出成形により、上面パネル１１１、下面パネル１１２、側面パネル１１３を一体的に成形して得られる。容器本体１１は、耐衝撃性の熱可塑性樹脂、例えばハイインパクト・スチロール樹脂、ブチレン、スチレン樹脂等で形成されている。
【００１５】
容器本体１１は、外観が先端部に向かって細くなるテーパー形状を有している。本実施形態では、特に上面パネル１１１と下面パネル１１２とが、電子体温計２０の外形に対応するようなテーパー形状を有し、側面パネル１１３がこの形状に沿うように設けられて、上面パネル１１１と下面パネル１１２とを接続している。その結果、側面パネル１１３は、開口１４とは反対側の端部で、電子体温計の挿入方向に対して傾斜面を形成することになる。
【００１６】
図２は、本実施形態による電子体温計用収納ケースの容器本体１１（キャップ部材１２は省略している）を、（ａ）上面パネル側から見た図、（ｂ）側面パネル側から（図２（ａ）のＸ方向から）見た図、（ｃ）下面パネル側から（図２（ｂ）のＹ方向から）見た図である。上述したように、上面パネル１１１には窓１３が設けられている。このため、電子体温計２０が収納ケース１０に正しく収納されている場合には、電子体温計の表示部２２には何も表示がされないので正しく収納されているか否かが確認できる。また、上下逆にして収納された場合には、電子体温計の表示部２２が何も見えないので、正しく収納されているか否かが確認できる。また、回動部１５は円弧状のアーム部材１５１を介して側面パネル１１３に接続されている。また、下面パネル１１２には、ラベルなどを貼付するのに都合がよいように浅い溝１６が設けられている。
【００１７】
次に、本実施形態による収納ケース１０の容器本体１１に設けられた内部空間について図３を参照して説明する。
【００１８】
図３（ａ）は、図２（ａ）のＡ−Ａにおける断面を示した図である。上面パネル１１１、下面パネル１１２、及び側面パネル１１３の内壁により電子体温計２０を収納するための内部空間３０が示されている。収納ケース１０のキャップ部材１２を図１（ｂ）のように回動させ、容器本体１１の一端に設けられた開口１４から容器本体１１の内部空間３０に電子体温計２０を先端キャップ２１側から挿入する。容器本体１１の内部空間３０の開口１４側に設けられた第１の導入リブ３１ａと、容器本体１１のほぼ中間部に設けられた第２のリブ３１ｂにより、内部空間の壁面と電子体温計２０との間に隙間が出来、電子体温計２０を収納ケース１０に挿入する時のガイド部としての機能を果たすために、電子体温計２０は空気抵抗を受けることなくスムーズに内部空間３０に挿入される。なお、第１の導入リブ３１ａは、幅０．８ｍｍ程度、長さ４０ｍｍ程度、開口１４側の高さ０．７ｍｍ程度で３本が並行に幅４ｍｍ程度で設けられている。
【００１９】
内部空間３０の開口１４と反対側の端部には、バネ弾性を有し、断面が円弧形状の板状の部材からなる保持部材３２とガイド部材３３が設けられている。保持部材３２は電子体温計２０の先端キャップ２１を包み、電子体温計２０を内部空間３０内で固定するように作用する。
【００２０】
図３（ｂ）、図３（ｃ）はそれぞれ図３（ａ）のＢ−Ｂ断面、Ｃ−Ｃ断面を示している。ガイド部材３３は保持部材３２の外側に設けられ、保持部材３２よりも開口１４の側へ長く延びている。側面パネル１１３は、上面パネル１１１及び下面パネル１１２が形成するテーパー形状のために、電子体温計の挿入方向に対して傾斜して設けられており、内部空間３０の内壁において電子体温計２０の挿入方向に対して斜面を形成している。保持部材３２とガイド部材３３は側面パネル１１３におけるそのような斜面から挿入方向と略平行に起立している。
【００２１】
図４（ａ）（ｂ）は、保持部材３２とガイド部材３３とを開口１４の側から観察した様子を示す図であり、図４（ａ）は図２（ａ）のＤ−Ｄ断面を示し、図４（ｂ）は図２（ａ）のＥ−Ｅ断面を示している。
【００２２】
保持部材３２は、断面が円弧状の板状の部材であり、本実施形態では２つの保持部材３２が向かい合って配置されて、電子体温計２０の先端キャップ２１を保持するように円筒状の部材を形成している。ガイド部材３３は、断面が円弧状の板状の部材であり、保持部材３２が形成する円筒を囲むように配置されている。図示のように、複数の保持部材３２、複数のガイド部材３３は、すべて側面パネル１１３から起立している。
【００２３】
また、保持部材３２の内側の面にはリブ３４が設けられている。リブ３４は、保持部材３２にさらなるバネ弾性を付与するとともに、保持部材３２の摩耗を防止する効果を有する。
【００２４】
図５は収納ケース１０の先端部の横断面を示す図であり、図５（ａ）は図３（ａ）の先端部を拡大したもの、図５（ｂ）は図３（ｂ）の先端部を拡大するとともに、電子体温計２０の先端キャップ２１を保持した様子を合わせて示した図である。
【００２５】
図１（ｂ）に示したように、電子体温計２０を先端キャップ２１側から内部空間３０に挿入していくと、先端キャップ２１は図５（ｂ）に示すように、保持部材３２の弾性力により確実に嵌合され、不使用時に不用意に容器本体１１から抜けたりすることがない。又、使用時には、これらの弾性力に抗して電子体温計２０を引っ張れば、電子体温計２０は容器本体１１の内部空間３０から容易に離脱させることが出来る。
【００２６】
側面パネル１１３とガイド部材３３との隙間、ガイド部材３３と保持部材３２との隙間が先端キャップ２１の径に対して十分に狭くなるように保持部材３２とガイド部材３３が配置されている。例えば、好ましくは、これらの隙間が先端キャップ２１の半径よりも小さくなるようにガイド部材３３と保持部材３２とが設けられる。また、保持部材３２とガイド部材３３は撓み性を有し、それらの端面は面取りされてそれぞれにＲ面３２ａ、Ｒ面３２ｂが形成されている。そのため、電子体温計２０の先端キャップ２１は、ガイド部材３３や保持部材３２に当接しても、矢印３５に示すようにスムーズに案内されて、保持部材３２に保持されるようになる。したがって、電子体温計２０を収納ケース１０に収納する際に先端キャップ２１に加わる衝撃を低減することができ、電子体温計２０の先端キャップ２１の耐久性を向上できる。
【００２７】
また、上述したように、保持部材３２とガイド部材３３は、側面パネル１１３が形成する傾斜面から起立している。このため、規律方向に垂直な面から起立した場合に比べて、保持部材３２とガイド部材３３と側面パネルの接合部分（保持部材３２とガイド部材３３の根元）における接合面積が大きくなる。そのため、保持部材３２、ガイド部材３３は十分な撓み性を有しながら、その耐久性を向上させることができる。
【００２８】
なお、上記実施形態では、２つの保持部材３２と４つのガイド部材３３を設けた構成を示したが、これに限られるものではない。例えば、３つ以上の保持部材３２、２つまたは４つ以上のガイド部材３３を設けるようにしてもよい。いずれにしても、複数の保持部材３２とガイド部材３３は、側面パネル１１３上における、収納ケース１０の先端部を中心とした対称位置に配置され、上述のバネ弾性により収納空間に挿入された電子体温計２０の先端キャップ２１と確実に嵌合するようになっている。
【００２９】
なお、収納ケース１０の外観は直方体としてもよい。その場合、テーパー部の斜面から保持部材やガイド部材を立ち上げることはできないが、ガイド部材によって保持部材へのスムーズな挿入が可能となる。
【００３０】
また、側面パネル１１３が形成する斜面に保持部材３２を設けることでその耐久性を向上させるという観点からすれば、ガイド部材３３を設けない構成も本願発明の範疇ある。
【符号の説明】
【００３１】
１０：（電子体温計用）収納ケース  １１：容器本体  １２：キャップ部材  １３：窓  １４：開口、１１１：上面パネル  １１２：下面パネル  １１３：側面パネル  ３０：内部空間  ３１ａ：第１の導入リブ  ３１ｂ：第２のリブ  ３２：保持部材  ３３：ガイド部材  
【図１】
0005722680.tif 000002
【図２】
0005722680.tif 000003
【図３】
0005722680.tif 000004
【図４】
0005722680.tif 000005
【図５】
0005722680.tif 000006